(57)【要約】【課題】複数の自動販売機を並べて設置された自動販売機群の自動販売機間の隙間を確実に小さくすることを可能とし、自動販売機群に一つの広告シートを貼付することによって一体感を創り出し美観を向上する。【解決手段】前面扉１１を備える複数の自動販売機１０を並列に配置する自動販売機群Ａ１における前面扉１１の後部の側壁面１２，１２間の隙間１３を、上下方向に亘って塞ぐように固定される取付基板３１と、取付基板３１に取り付けられ、取付基板３１から前面扉１１の前面１９までの隙間１３ｂに上下方向に亘って配置されるとともに、側壁面１２と対向する両側面３５，３５を隣接する前面扉１１の隙間１３における回転軌跡１１ａ，１１ｂより隙間の中心線１３ｃ側に変位させてなる目地体３４と、取付基板３１の下端部と目地体３４の下端部とを連結し、自動販売機１０の下部に配置される下部塞ぎ材３８とを有する。【選択図】    図１
2010231729.tif 000002
【特許請求の範囲】
【請求項１】
前面扉を備える複数の自動販売機を並列に配置する自動販売機群における前記前面扉の後部の側壁面間の隙間を、上下方向に亘って塞ぐように固定される取付基板と、
前記取付基板に取り付けられ、取付基板から前記前面扉の前面までの前記隙間に上下方向に亘って配置されるとともに、前記側壁面と対向する両側面を隣接する前記前面扉の前記隙間における回転軌跡より前記隙間の中心線側に変位させてなる目地体と、
前記取付基板の下端部と前記目地体の下端部とを連結し、前記自動販売機の下部に配置される下部塞ぎ材と
を有することを特徴とする自動販売機用目地部材。
【請求項２】
請求項１記載の自動販売機用目地部材において、
前記目地体は、前記取付基板から前記前面扉のヒンジセンターと対向する位置までを形成する第一の部材と、前記前面扉のヒンジセンターと対向する位置から前記前面扉の前面と対向する位置までを形成する第二の部材とを接続することによって構成され、前記第二の部材は前記隙間の間口に向かって拡大する断面略台形状を為している
ことを特徴とする自動販売機用目地部材。
【請求項３】
前面扉を備える複数の自動販売機を並列に配置する自動販売機群と、
前記自動販売機群における前記自動販売機の側壁面間の隙間に設置される請求項１又は２記載の自動販売機用目地部材と、
前記前面扉の前面及び前記目地体の前面に貼り付けられる１枚の広告用シートと
を備え、
前記前面扉と前記目地体の前面とは、前記目地体の前面の両縁部に位置する前記広告シートの上下方向に切り込みを設けることによって、分離され、
前記前面扉に設けられている各機能構成部は、前記各機能構成部の周囲に位置する前記広告用シートを取り除くことによって露出されている
ことを特徴とする広告用シート付き自動販売機群。
【請求項４】
請求項３記載の広告用シート付き自動販売機群において、
前記前面扉は、扉本体表面から窪んで形成される表示用凹部に、前記扉本体表面と面一となるように嵌め込まれるプレート部材を備えている
ことを特徴とする広告用シート付き自動販売機群。
【請求項５】
請求項３又は４記載の広告用シート付き自動販売機群において、
前記前面扉の下面と前記前記自動販売機群を設置する接地面との間の隙間は、幅木によって封鎖されている
ことを特徴とする広告用シート付き自動販売機群。
【請求項６】
請求項１乃至５の何れか記載の広告用シート付き自動販売機群において、
前記前記自動販売機群の上部にパラペットを備えている
ことを特徴とする広告用シート付き自動販売機群。
【請求項７】
前面扉を備える複数の自動販売機を並列に配置する自動販売機群における側壁面間の隙間に、請求項１又は２記載の自動販売機用目地部材を、前記目地体の前面が前記前面扉の前面に位置し、前記取付基板が前記隙間の上下方向に亘って塞ぐように配置して前記取付基板を隣接する自動販売機にネジ止めにより固定する工程と、
前記前面扉の前面及び前記目地体の前面に１枚の広告用シートを貼り付ける工程と、
前記目地体の前面の両縁部に位置する前記広告シートの上下方向に切り込みを設けることによって、前記前面扉と前記目地体の前面とを分離する工程と、
前記前面扉に設けられている各機能構成部の周囲に位置する前記広告用シートに切り込みを設けることによって、前記広告用シートを取り除いて前記各機能構成部を露出させる工程と
を有することを特徴とする自動販売機群への広告用シートの貼付方法。
【請求項８】
前面扉を備える複数の自動販売機を並列に配置する自動販売機群における側壁面間の隙間に、請求項１又は２記載の自動販売機用目地部材を、前記目地体の前面が前記前面扉の前面に位置し、前記取付基板が前記隙間の上下方向に亘って塞ぐように配置して前記取付基板を隣接する自動販売機にネジ止めにより固定する工程と、
前記前面扉の扉本体表面から窪んで形成される表示用凹部に、前記扉本体表面と面一となるように前記プレート部材を嵌め込む工程と、
前記前面扉の前面及び前記目地体の前面に１枚の広告用シートを貼り付ける工程と、
前記目地体の前面の両縁部に位置する前記広告シートの上下方向に切り込みを設けることによって、前記前面扉と前記目地体の前面とを分離する工程と、
前記前面扉に設けられている各機能構成部の周囲に位置する前記広告用シートに切り込みを設けることによって、前記広告用シートを取り除いて前記各機能構成部を露出させる工程と
を有することを特徴とする自動販売機群への広告用シートの貼付方法。
【請求項９】
請求項７又は８記載の自動販売機群への広告用シートの貼付方法において、
前記前面扉の前面及び前記目地体の前面に１枚の広告用シートを貼り付ける工程の前に、
前記前面扉の下面と前記前記自動販売機群を設置する接地面との間の隙間を、幅木によって封鎖する
ことを特徴とする自動販売機群への広告用シートの貼付方法。
【請求項１０】
請求項７乃至９の何れか記載の自動販売機群への広告用シートの貼付方法において、
前記前面扉の前面及び前記目地体の前面に１枚の広告用シートを貼り付ける工程の前に、
前記前記自動販売機群の上部にパラペットを取り付ける
ことを特徴とする自動販売機群への広告用シートの貼付方法。
【発明の詳細な説明】
【技術分野】
【０００１】
本発明は、複数の自動販売機を並べて設置された自動販売機群の各自動販売機間に用いる目地部材、この目地部材を用いる広告用シート付き自動販売機群及び自動販売機群への広告用シートの貼付方法に関する。
【背景技術】
【０００２】
従来、複数の自動販売機を並べて設置された自動販売機群の各自動販売機間には、前面扉の開閉や自動販売機自体の挿入配置を考慮して、所定の隙間が形成されている。
この隙間があるために、複数の自動販売機がそれぞれバラバラに配置された感じを利用者に与えるとともに、それら隙間にごみや埃が溜まって汚れやすく、全体の美観が損なわれるという問題があった。
【０００３】
この問題を解決するために、例えば、隣接配置された自動販売機同士の隙間に目隠し板を取り付けることが提案されている（例えば、特許文献１参照）。
【先行技術文献】
【特許文献】
【０００４】
【特許文献１】特開平９−１８００４３号公報
【発明の概要】
【発明が解決しようとする課題】
【０００５】
しかしながら、特許文献１に記載された自動販売機用周囲隙間のカバー具では、目隠し板を自動販売機の前面縁部に取り付けるため、前面扉間に前面扉と目隠し板とで凹所が形成され、複数の自動販売機がそれぞれバラバラに配置された感じを利用者に与えるとともに、それら隙間にごみや埃が溜まって汚れやすく、全体の美観が損なわれるという問題が依然として解消されていない。
【０００６】
本発明は斯かる従来の問題点を解決するために為されたもので、複数の自動販売機を並べて設置された自動販売機群の自動販売機間の隙間を確実に小さくすることを可能とした自動販売機用目地部材を提供することにある。
本発明の別の目的は、複数の自動販売機を並べて設置された自動販売機群の自動販売機間の隙間を確実に小さくするとともに自動販売機群に一つの広告シートを貼付することによって一体感を創り出し美観を向上できる広告用シート付き自動販売機群及び自動販売機群への広告用シートの貼付方法を提供することにある。
【課題を解決するための手段】
【０００７】
請求項１に係る発明は、前面扉を備える複数の自動販売機を並列に配置する自動販売機群における前面扉の後部の側壁面間の隙間を、上下方向に亘って塞ぐように固定される取付基板と、取付基板に取り付けられ、取付基板から前面扉の前面までの隙間に上下方向に亘って配置されるとともに、側壁面と対向する両側面を隣接する前面扉の隙間における回転軌跡より隙間の中心線側に変位させてなる目地体と、取付基板の下端部と目地体の下端部とを連結し、自動販売機の下部に配置される下部塞ぎ材とを有することを特徴とする。
請求項２に係る発明は、請求項１記載の自動販売機用目地部材において、目地体は、取付基板から前面扉のヒンジセンターと対向する位置までを形成する第一の部材と、前面扉のヒンジセンターと対向する位置から前面扉の前面と対向する位置までを形成する第二の部材とを接続することによって構成され、第二の部材は隙間の間口に向かって拡大する断面略台形状を為していることを特徴とする。
【０００８】
請求項３に係る発明は、前面扉を備える複数の自動販売機を並列に配置する自動販売機群と、自動販売機群における自動販売機の側壁面間の隙間に設置される請求項１又は２記載の自動販売機用目地部材と、前面扉の前面及び目地体の前面に貼り付けられる１枚の広告用シートとを備え、前面扉と目地体の前面とは、目地体の前面の両縁部に位置する広告シートの上下方向に切り込みを設けることによって、分離され、前面扉に設けられている各機能構成部は、各機能構成部の周囲に位置する広告用シートを取り除くことによって露出されていることを特徴とする。
請求項４に係る発明は、請求項３記載の広告用シート付き自動販売機群において、前面扉は、扉本体表面から窪んで形成される表示用凹部に、扉本体表面と面一となるように嵌め込まれるプレート部材を備えていることを特徴とする。
【０００９】
請求項５に係る発明は、請求項３又は４記載の広告用シート付き自動販売機群において、前面扉の下面と自動販売機群を設置する接地面との間の隙間は、幅木によって封鎖されていることを特徴とする。
請求項６に係る発明は、請求項１乃至５の何れか記載の広告用シート付き自動販売機群において、自動販売機群の上部にパラペットを備えていることを特徴とする。
【００１０】
請求項７に係る発明は、前面扉を備える複数の自動販売機を並列に配置する自動販売機群における側壁面間の隙間に、請求項１又は２記載の自動販売機用目地部材を、目地体の前面が前面扉の前面に位置し、取付基板が隙間の上下方向に亘って塞ぐように配置して取付基板を隣接する自動販売機にネジ止めにより固定する工程と、前面扉の前面及び目地体の前面に１枚の広告用シートを貼り付ける工程と、目地体の前面の両縁部に位置する広告シートの上下方向に切り込みを設けることによって、前面扉と目地体の前面とを分離する工程と、前面扉に設けられている各機能構成部の周囲に位置する広告用シートに切り込みを設けることによって、広告用シートを取り除いて各機能構成部を露出させる工程とを有することを特徴とする。
【００１１】
請求項８に係る発明は、前面扉を備える複数の自動販売機を並列に配置する自動販売機群における側壁面間の隙間に、請求項１又は２記載の自動販売機用目地部材を、目地体の前面が前面扉の前面に位置し、取付基板が隙間の上下方向に亘って塞ぐように配置して取付基板を隣接する自動販売機にネジ止めにより固定する工程と、前面扉の扉本体表面から窪んで形成される表示用凹部に、扉本体表面と面一となるようにプレート部材を嵌め込む工程と、前面扉の前面及び目地体の前面に１枚の広告用シートを貼り付ける工程と、目地体の前面の両縁部に位置する広告シートの上下方向に切り込みを設けることによって、前面扉と目地体の前面とを分離する工程と、前面扉に設けられている各機能構成部の周囲に位置する広告用シートに切り込みを設けることによって、広告用シートを取り除いて各機能構成部を露出させる工程とを有することを特徴とする。
【００１２】
請求項９に係る発明は、請求項７又は８記載の自動販売機群への広告用シートの貼付方法において、前面扉の前面及び目地体の前面に１枚の広告用シートを貼り付ける工程の前に、前面扉の下面と自動販売機群を設置する接地面との間の隙間を、幅木によって封鎖することを特徴とする。
請求項１０に係る発明は、請求項７乃至９の何れか記載の自動販売機群への広告用シートの貼付方法において、前面扉の前面及び目地体の前面に１枚の広告用シートを貼り付ける工程の前に、自動販売機群の上部にパラペットを取り付けることを特徴とする。
【発明の効果】
【００１３】
本発明に係る自動販売機用目地部材よれば、複数の自動販売機を並べて設置された自動販売機群の自動販売機間の隙間を確実に小さくすることができる。
本発明に係る広告用シート付き自動販売機群及び自動販売機群への広告用シートの貼付方法によれば、複数の自動販売機を並べて設置された自動販売機群の自動販売機間の隙間を確実に小さくするとともに自動販売機群に１枚の広告シートを貼付することによって一体感を創り出し美観を向上できる。
【００１４】
また、本発明に係る広告用シート付き自動販売機群及び自動販売機群への広告用シートの貼付方法によれば、各自動販売機の前面扉と自動販売機用目地部材との間に段差がないため、１枚の広告シートを前面扉に沿って凹凸無く滑らかに貼付することができるとともに貼付作業が容易にできる。
【図面の簡単な説明】
【００１５】
【図１】本発明の一実施形態に係る広告用シート付き自動販売機群を示す斜視図である。
【図２】図１に示す広告用シート付き自動販売機群における要部を示す断面図である。
【図３】図１に示す広告用シート付き自動販売機群の組立時にプレート部材の取付状態を示す説明図である。
【図４】図１に示す広告用シート付き自動販売機群の組立状態を示す説明図である。
【図５】図１に示す広告用シート付き自動販売機群の１枚の広告用シートを貼付する前の状態を示す斜視図である。
【図６】図１に示す広告用シート付き自動販売機群を隣接壁面に突き合わせた状態をを示す断面図である。
【図７】図１に示す広告用シート付き自動販売機群にパラペットを設けた状態を示す斜視図である。
【図８】図７に示すパラペット付きの自動販売機群の組立状態を示す説明図である。
【図９】図８におけるパラペットの取付状態を示す側面図である。
【図１０】自動販売機群にパラペットを取り付けた状態を示す斜視図である。
【図１１】本発明に用いられる自動販売機用目地部材の別の例を示す断面図である。
【発明を実施するための形態】
【００１６】
以下、本発明の実施形態を図面に基づいて説明する。
図１は、本発明の一実施形態に係る広告用シート付き自動販売機群Ａを示す斜視図である。本実施形態では、３台の自動販売機１０を並列に配置した場合について説明する。
本実施形態は、前面扉１１を備える複数の自動販売機１０を並列に配置して自動販売機群Ａ１を組み立てる際に、図５に示すように、この自動販売機群Ａ１における各自動販売機１０の側壁面１２，１２間の各隙間１３に自動販売機用目地部材３０を設置する。
【００１７】
自動販売機用目地部材３０は、例えば、木材で構成され、図１、図２、図４、図５に示すように、自動販売機１０の側壁面１２，１２間の隙間１３のうち前面扉１１の後部側の隙間１３ａを、上下方向に亘って塞ぐように固定される取付基板３１と、取付基板３１に取り付けられ、自動販売機１０の側壁面１２，１２間の隙間１３のうち取付基板３１から前面扉１１の前面１９までの隙間１３ｂに上下方向に亘って配置されるとともに、自動販売機１０の側壁面１２，１２と対向する両側面３５，３５を隣接する前面扉１１の隙間１３ｂにおける各前面扉１１の回転軌跡１１ａ，１１ｂより隙間１３の中心線１３ｃ側に変位させてなる目地体３４と、取付基板３１の下端部３３と目地体３４の下端部３７とを連結し、自動販売機１０の下部１８に配置される下部塞ぎ材３８とを有する。なお、自動販売機用目地部材３０は、木製に限らず、例えば、アルミニウム、プラスッチクで構成しても良い。
【００１８】
自動販売機用目地部材３０の高さ方向の寸法は、自動販売機１０の側壁面１２の高さ方向の寸法とほぼ等しくしてある。従って、取付基板３１の上端部３２及び目地体３４の上端部３６が自動販売機１０の天板１５とほぼ同じ位置に固定され、下部塞ぎ材３８の下面が自動販売機１０の下部１８の下面とほぼ同じ位置に固定されている。
取付基板３１は、例えば、図２に示すように、自動販売機１０の側壁面１２，１２にネジ５０，５１で固定でき、かつ目地体３４に掛かる曲げモーメントに耐える強度を備えることができる設置幅３１ａを有する角材によって構成されている。
【００１９】
目地体３４は、例えば、図２に示すように、取付基板３１の長さ方向の中央部に、取付基板３１から前面扉１１のヒンジセンター１６と対向する位置までを形成する第一の部材３４ａと、前面扉１１のヒンジセンター１６と対向する位置から前面扉１１の前面１９と対向する位置までを形成する第二の部材３４ｂとをネジ５２によって接続することによって構成されている。第二の部材３４ｂは、隙間１３の間口に向かって拡大する断面略台形状を為している。
【００２０】
次に、自動販売機１０，１０間の隙間１３について説明する。この隙間１３は、特に限定するものではないが、通常、前面扉１１の開閉を無理なく行うために、５０ｍｍ以上とされている。本実施形態では、隙間１３は、通常通りとするが、５０ｍｍ以下とすることも可能である。しかし、この隙間１３を３０ｍｍ以下にすると、目地体３４の幅（肉厚）が薄くなり、強度低下を起こす虞がある。そこで、自動販売機用目地部材３０を一般的な木材を用いて構成し、目地体３４の幅（肉厚）を１５ｍｍ以下にしたところ、強度が低下し、折損や破損を起こす虞があることを確認した。そのため、望ましくは目地体３４の幅（肉厚）を２０ｍｍ以上とする。
【００２１】
次に、各自動販売機１０への自動販売機用目地部材３０の取付について説明する。
先ず、図４に示すように、各自動販売機１０の前面扉１１の後部側の側壁面１２に対し、取付基板３１の上端部３２及び目地体３４の上端部３６が自動販売機１０の天板１５とほぼ同じ位置で、下部塞ぎ材３８の下面が自動販売機１０の下部１８の下面とほぼ同じ位置に来るように位置合わせを行い、自動販売機１０の側壁面１２に自動販売機用目地部材３０を沿わせた状態で、取付基板３１の側面側からネジ５０を所定の間隔でねじ込んで自動販売機用目地部材３０を固定する。
【００２２】
この際、自動販売機１０の種類にもよるが、前面扉１１のヒンジ側には吊り元側ガード２０が隙間１３側に突出し、前面扉１１の開き側には開き側ガード２１が隙間１３側に突出しており、これらの後方には側壁面１２を構成する自動販売機本体の方建て２２，２３が配置されている。本実施形態では、前面扉１１の後部側と吊り元側ガード２０及び開き側ガード２１との間にシール部材（図示せず）が配置されているものとする。
【００２３】
次に、一側に自動販売機用目地部材３０を取り付けた自動販売機１０を、自動販売機用目地部材３０を取り付けていない側壁面１２を隣の一側に自動販売機用目地部材３０を取り付けた自動販売機１０の自動販売機用目地部材３０に向けて移動し、自動販売機用目地部材３０を介して両自動販売機１０，１０を突き合わせる。ここでも、各自動販売機１０の前面扉１１の後部側の側壁面１２に対し、取付基板３１の上端部３２及び目地体３４の上端部３６が自動販売機１０の天板１５とほぼ同じ位置で、下部塞ぎ材３８の下面が自動販売機１０の下部１８の下面とほぼ同じ位置に来るように位置合わせを行う。
【００２４】
そして、図４に示すように、自動販売機用目地部材３０を取り付けていない自動販売機１０の前面扉１０を開いて内側から自動販売機用目地部材３０に向かってネジ５１を所定の間隔でねじ込んで自動販売機用目地部材３０に固定する。
同様にして、図５に示すように、残りの自動販売機１０を連接された自動販売機１０に取り付けて、自動販売機群Ａ１を組み立てる。
【００２５】
次に、各自動販売機１０の前面扉１１の扉本体表面から窪んで形成される表示用凹部２５に、表面扉１１の表面１９と面一となるように嵌め込まれるプレート部材２９を組み付ける。プレート部材２９は、既設のインナーパネル２６の前面を覆うことができる大きさの例えば、積層板、プラスチック板、金属板などからなるパネル２９ａと、このパネル２９ａの周囲に取り付けられてインナーパネル２６を固定するスペーサ２７とインナーパネル２６との間に挿入される脚部２９ｂとを備えている。
プレート部材２９は、表示用凹部２５に固定されている塩化ビニール樹脂製パネルなどのインナーパネル２６を固定する窓枠２８に脚部２９ｂを固定してインナーパネル２６の前面にプレート部材２９を固定することによって取り付けられる。
【００２６】
次に、図４に示すように、自動販売機群Ａ１の脚部１０ａ側と接地面５２との間の隙間を塞ぐために、幅木５３を各自動販売機１０のの脚部１０ａ側と自動販売機用目地部材３０の下部塞ぎ材３８とにネジ５４をねじ込んで固定する。
斯くして、図５に示すように、自動販売機群Ａ１を得ることができる。
この自動販売機群Ａ１は、各自動販売機１０と自動販売機用目地部材３０の目地体３４の表面３９との間には、例えば、５ｍｍ〜１０ｍｍ程度の隙間４６が形成される。
【００２７】
次に、図５に示すように組み立てられた自動販売機群Ａ１の各前面扉１１の前面１９及び各自動販売機用目地部材３０の目地体３４の前面３９に１枚の広告用シート４０を貼り付ける。１枚の広告用シート４０は、例えば、所望の広告用フィルム、広告用ラッピングフィルムなどの裏面に貼着用の接着剤などを付着したものである。
【００２８】
次に、自動販売機１０の前面扉１１に設けられている機能構成部、例えば、商品の展示部と購入ボタンとを有する展示窓と、コイン投入口、紙幣取入口、前面扉のキー、投入金額などを表示する表示部、コイン返却口、商品取出口などを露出するために、これらの周囲をナイフなどで切り込みを入れ、各切り込みに沿って取り除く。
機能構成部は、前面扉１１に取り付けるように構成されているので、図５に示すように組み立てられた自動販売機群Ａ１の各前面扉１１の前面及び各自動販売機用目地部材３０の目地体３４の前面３９に１枚の広告用シート４０を貼り付ける前に、これらを取り外しておき、１枚の広告用シート４０の貼付後に、これらの設置箇所の周囲をナイフなどで切り込みをいれ、各切り込みを取り除き、機能構成部を取り付けるようにしても良い。
【００２９】
次に、各自動販売機１０と各自動販売機用目地部材３０の目地体３４との間を、目地体３４の表面３９の両端部に沿って縦方向にナイフなどで切り込み４５を入れ、各自動販売機１０と各自動販売機用目地部材３０の目地体３４とを分離する。その後、前面扉１１側では、分離した広告用シート４０の切れ端を前面扉１１の開き元側及び吊り元側の前面扉１１の曲面に沿って貼着する。
【００３０】
これによって、前面扉１１に貼着されて広告用シート４０の隙間１３側の端部と自動販売機用目地部材３０の目地体３４との間には、例えば、５ｍｍ〜１０ｍｍ程度の隙間４６が形成される。
次に、自動販売機群Ａ１の両端部又は一端部の側壁面１２に別の広告用シート４１を貼着して、広告用シート４０との統一性を持たせるようにする。
斯くして、図１に示す広告用シート付き自動販売機群Ａを得ることができる。
【００３１】
このように、本実施形態によれば、１台目の自動販売機１０の側壁面１２に自動販売機用目地部材３０をネジ５０を介して取り付け、この１台目の自動販売機１０の側壁面１２に２台目の自動販売機１０を先に取り付けた自動販売機用目地部材３０にネジ５１を介して取り付け、２台目の自動販売機１０の側壁面１２に自動販売機用目地部材３０をネジ５０を介して取り付け、この２台目の自動販売機１０の側壁面１２に３台目の自動販売機１０を先に取り付けた自動販売機用目地部材３０にネジ５１を介して取り付けることによって自動販売機群Ａ１を得ることができる。
【００３２】
各自動販売機１０と各自動販売機用目地部材２０の目地体２４の両端部との間に形成される隙間４６は、自動販売機群Ａ１を正面又は斜めから見ると、隙間１３が自動販売機用目地部材３０によって暗所となっているため、各自動販売機１０が整然と一列になって利用者に違和感を当てることがない。
また、各自動販売機１０と各自動販売機用目地部材２０の目地体２４の両端部との間に形成される隙間４６は、自動販売機群Ａ１を正面と面一となっているため、従来のカバー具のように、隙間にごみや塵が溜まって汚れやすいということがなくなる。
【００３３】
また、各自動販売機１０と各自動販売機用目地部材２０との接地面５２側には、幅木５３が配置されているので、各自動販売機１０の下部の隙間にごみや塵が溜まって汚れやすいということがなくなる。
また、各自動販売機１０と各自動販売機用目地部材２０との接地面５２側には、幅木５３が配置されているので、利用者が誤って落としたコインが自動販売機１０の下部の隙間に入っていくという不具合も防止できる。
【００３４】
さらに、本実施形態によれば、自動販売機群Ａ１の前面に１枚の広告用シート４０を貼着する際に、前面扉１１の凹凸部を無くすように、機能性構成部と取り外し、表示用凹部２５に、表面扉１１の表面１９と面一となるように嵌め込まれるプレート部材２９を組み付けるので、１枚の広告用シート４０を前面扉１１の表面１９に無理なく均一に貼り付けることができる。
また、隙間４６を利用できるように、前面扉１１と目地体２４の両端部との間にナイフなどによって切り込みを入れるので、１枚の広告用シート４０を自動販売機群Ａ１を正面と面一となった状態で分離することができる。
【００３５】
また、隙間４６が、例えば、５ｍｍ〜１０ｍｍ程度の狭い幅であるから、自動販売機群Ａ１の正面から見ても、斜めから見ても、隙間１３をほとんど認識することがなくなり、１枚の広告用シート４０の連続性を妨げることがない。
なお、上記実施形態では、３台の自動販売機１０を並列に配置する場合について説明したが、本発明はこれに限らず、２台以上であれば台数は特に問わない。また、自動販売機群Ａ１を背中合わせに配置する場合にも当然に適用できる。
【００３６】
また、上記実施形態では、目地体３４を第一の部材３４ａに第二の部材３４ｂをネジ５２によって接続する場合について説明したが、本発明はこれに限らず、目地体３４を一つの部材で構成しても良い。その際、前面扉１１側が前面扉１１の回転軌跡１１ａ，１１ｂにぶつからないように湾曲したり広がったりするようにすることが望ましい。
また、上記実施形態では、幅木５３を１枚の広告用シート４０を貼り付ける前の工程で取り付ける場合について説明したが、本発明はこれに限らず、例えば、１枚の広告用シート４０を貼り付けた後でも良い。
また、上記実施形態では、自動販売機１０を接地面５２に直に設置した場合について説明したが、本発明はこれに限らず、例えば、接地面５２上に固定用の安定板を設置し、その上に自動販売機１０を配置しても良い。
【００３７】
また、上記実施形態では、自動販売機群Ａ１の両端部又は一端部の側壁面１２に別の広告用シート４１を貼着して、広告用シート４０との統一性を持たせるようにしたが、例えば、隣接する建物や部屋などの壁部６０の壁面６１に側壁面１２を突き合わせる場合には、例えば、図６に示すように、自動販売機用目地部材３０を突き合わせようの自動販売機用目地部材３０Ａを用いる。
この自動販売機用目地部材３０Ａは、一方の壁面３５ａが壁部６０の壁面６１に当接できるように取付基板３１から目地体３４に亘って直線状の壁面を形成している。
この場合には、壁面６０との間の隙間１３Ａが、自動販売機用目地部材３０Ａによって確実に封鎖されるので、上記実施形態と同様の作用効果を奏することができる。
【００３８】
また、上記実施形態では、自動販売機群Ａ１の上部については、従前の通りとした場合について説明したが、所望の広告を施したパラペット７０を取り付けることによって、自動販売機群Ａ１全体の装飾性をさらに高めることが可能となる。
図７は、その一例を示す。
パラペット７０は、所望の広告を施した板状のパラペット本体７１の下部の長手方向にに板状のパラペット固定材７２を取り付けるとともに、所望の間隔でパラペット本体７１とパラペット固定材７２との間に三角形状のブレ止め筋交い７３をネジ７５、７６によって取り付け、パラペット固定材７２の下面に、自動販売機１０のドアパッキンと軸吊ヒンジ厚さ分の厚みを有するスペーサ７４を取り付けている。
【００３９】
そして、パラペット７０は、図８、図９に示すように、自動販売機１０の前面扉１１の開閉に支障のない位置において、自動販売機１０の天板１５上にスペーサ７４を載せ、スペーサ７４をネジ７７にて自動販売機１０に固定することによって取り付けられる。
図１０は、広告シート４０を貼着する前の状態を示す。なお、ここでは、自動販売機群Ａ１の両端部に自動販売機用目地部材３０Ａを取り付けた状態にしてある。自動販売機用目地部材３０Ａの取付は、自動販売機群Ａ１の設置条件に応じて任意に決めることができる。
以上のように、自動販売機群Ａ１に所望の広告を施したパラペット７０を取り付けることによって、広告シート４０だけによる装飾性よりもさらに自動販売機群Ａ１全体の装飾性をさらに高めることが可能となる。
【００４０】
なお、上記実施形態では、取付基板３１と目地体３４とを木製としたため、ネジや接着剤によって一体に組み立てる場合について説明したが、本発明はこれに限らず、例えば、プラスチックやアルミニウムの場合は一体成形や引き抜き又は押し出し成形によって一体にしても良い。そして、下部塞ぎ材３８をネジや接着剤で接合しても良い。また、目地体３４を、例えば、プラスチックやアルミニウムで構成して、一体成形や引き抜き又は押し出し成形によって一体にしても良い。さらに、目地材３４を、鉄材、鋼材などの金物で構成しても良い。
また、取付基板３１と目地体３４とを、例えば、プラスチックやアルミニウムで構成して、一体成形や引き抜き又は押し出し成形によって一体にした場合には、上述した木製の場合の強度上の制約がなくなるので、自動販売機１０間の前面扉１１の開閉を許容できる間隔まで薄くすることが可能である。そして、目地材３４の形状としては、Ｉ型やＴ型などにしておくと良い。
【００４１】
図１１は、目地体３４Ａを、例えば、プラスチックやアルミニウムで構成したＩ形鋼形状とし、根本部３４ｙを取付基板３１にネジ５５で固定する構成とした例を示す。
ここでは、根本部３４ｙの幅は、取付部材３１と同等の幅としてある。また、第一の部材３４ａに相当するウエブ３４ｘは、目地体３４の第一の部材３４では１５ｍｍ〜２０ｍｍとしていた肉厚を、例えばアルミニウムの場合には３ｍｍ〜５ｍｍ、プラスチックの場合には５ｍｍ〜１０ｍｍのように目地体として機能をしうる薄肉にしてある。また、第二の部材３４ｂに相当する表側の端面３４ｚは、第二の部材３４ｂと同様に、各自動販売機１０との間に、例えば、５ｍｍ〜１０ｍｍ程度の隙間４６が形成されている。なお、根本部３４ｙ、ウエブ３４ｘ、端面３４ｚの肉厚は、ほぼ同じにしてある。
【符号の説明】
【００４２】
Ａ  広告用シート付き自動販売機群
Ａ１  自動販売機群
１０  自動販売機
１０ａ  脚部
１１  前面扉
１１ａ、１１ｂ  回転軌跡
１２  側壁面
１３、１３ａ、１３ｂ  隙間
１３ｃ  中心線
１５  天板
１６  ヒンジセンター
１８  下部
１９  前面
２０  吊り元側ガード
２１  開き側ガード
２２、２３  自動販売機本体の方建て
２５  表示用凹部
２６  インナーパネル
２７  スペーサ
２８  窓枠
２９  プレート部材
２９ａ  パネル
２９ｂ  脚部
３０  自動販売機用目地部材
３１  取付基板
３２  上端部
３３  下端部
３４、３４Ａ  目地体
３４ａ  第一の部材
３４ｂ  第二の部材
３５  側面
３６  上端部
３８  下部塞ぎ材
３９  表面
４０  広告用シート
４５  切り込み
４６  隙間
５０、５１、５４  ネジ
５２  接地面
５３  幅木
【図１】
2010231729.tif 000003
【図２】
2010231729.tif 000004
【図３】
2010231729.tif 000005
【図４】
2010231729.tif 000006
【図５】
2010231729.tif 000007
【図６】
2010231729.tif 000008
【図７】
2010231729.tif 000009
【図８】
2010231729.tif 000010
【図９】
2010231729.tif 000011
【図１０】
2010231729.tif 000012
【図１１】
2010231729.tif 000013
【手続補正書】
【提出日】平成21年7月28日(2009.7.28)
【手続補正１】
【補正対象書類名】特許請求の範囲
【補正対象項目名】請求項６
【補正方法】変更
【補正の内容】
【請求項６】
請求項３乃至５の何れか記載の広告用シート付き自動販売機群において、
前記前記自動販売機群の上部にパラペットを備えている
ことを特徴とする広告用シート付き自動販売機群。
【手続補正２】
【補正対象書類名】特許請求の範囲
【補正対象項目名】請求項８
【補正方法】変更
【補正の内容】
【請求項８】
前面扉を備える複数の自動販売機を並列に配置する自動販売機群における側壁面間の隙間に、請求項１又は２記載の自動販売機用目地部材を、前記目地体の前面が前記前面扉の前面に位置し、前記取付基板が前記隙間の上下方向に亘って塞ぐように配置して前記取付基板を隣接する自動販売機にネジ止めにより固定する工程と、
前記前面扉の扉本体表面から窪んで形成される表示用凹部に、前記扉本体表面と面一となるようにプレート部材を嵌め込む工程と、
前記前面扉の前面及び前記目地体の前面に１枚の広告用シートを貼り付ける工程と、
前記目地体の前面の両縁部に位置する前記広告シートの上下方向に切り込みを設けることによって、前記前面扉と前記目地体の前面とを分離する工程と、
前記前面扉に設けられている各機能構成部の周囲に位置する前記広告用シートに切り込みを設けることによって、前記広告用シートを取り除いて前記各機能構成部を露出させる工程と
を有することを特徴とする自動販売機群への広告用シートの貼付方法。
【手続補正３】
【補正対象書類名】明細書
【補正対象項目名】０００９
【補正方法】変更
【補正の内容】
【０００９】
請求項５に係る発明は、請求項３又は４記載の広告用シート付き自動販売機群において、前面扉の下面と自動販売機群を設置する接地面との間の隙間は、幅木によって封鎖されていることを特徴とする。
請求項６に係る発明は、請求項３乃至５の何れか記載の広告用シート付き自動販売機群において、自動販売機群の上部にパラペットを備えていることを特徴とする。